(57)【要約】【課題】光源を効果的に冷却でき、熱変化による故障を防止するようにしたプロジェクタ用光源を提供する。【解決手段】内面に鏡面２aを有する反射鏡２と、該反射鏡２内に設けられたバルブ３とを備えたプロジェクタ用光源において、反射鏡２の前方であって、該反射鏡２から反射される光線のかからない位置に取り付けられた、後端部が反射鏡２の外周方向に傾斜するガイド面７およびおよび該ガイド面７の両側に形成された両翼８を有するフィン６と、該フィン６外方に配置された、前記ガイド面７向けて送風するファン１１を備える。【選択図】図１
2006053490.tif 000002
【特許請求の範囲】
【請求項１】
内面に鏡面を有する反射鏡と、該反射鏡内に設けられたバルブとを備えたプロジェクタ
用光源において、
前記反射鏡の前端縁に取り付けられたフレームと、
前記フレームに固定され、前記反射鏡の前方であって、該反射鏡から反射される光線の
かからない位置に取り付けられた、後端部が反射鏡の外周方向に傾斜するガイド面、およ
びおよび該ガイド面の両側に形成され、側方に八字状に開放された両翼を有するフィンと
、
該フィンの外方に配置された、前記ガイド面に向けて送風するファンと、
を備えたことを特徴とするプロジェクタ用光源。
【請求項２】
内面に鏡面を有する反射鏡と、該反射鏡内に設けられたバルブとを備えたプロジェクタ
用光源において、
前記反射鏡の前方であって、該反射鏡から反射される光線のかからない位置に取り付け
られた、後端部が反射鏡の外周方向に傾斜するガイド面およびおよび該ガイド面の両側に
形成された両翼を有するフィンと、
該フィンの外方に配置された、前記ガイド面に向けて送風するファンと、
を備えたことを特徴とするプロジェクタ用光源。
【請求項３】
前記ガイド面と両翼との間の角部に側面三角形状の折曲連接部が形成されていることを
特徴とする請求項１記載のプロジェクタ用光源。
【請求項４】
前記フィンは、前記反射鏡の真横に取り付けられていることを特徴とする請求項１また
は２記載のプロジェクタ用光源。
【請求項５】
請求項１乃至４に記載の何れかのプロジェクタ用光源を備えていることを特徴とする、
プロジェクタ。
【発明の詳細な説明】
【技術分野】
【０００１】
本発明は、投写レンズから投射される出力画像をスクリーンに投射するプロジェクタに
使用されるプロジェクタ用光源に関する。
【背景技術】
【０００２】
従来、この種のプロジェクタには、笠形状の反射鏡内の中心にバルブ３を設けた光源が
使用されている。液晶プロジェクタにおいては、この光源からの光を偏光板、液晶パネル
を通し、投写レンズから映像を投写する。この場合、偏光板および液晶パネルは発熱しや
すいので、これを冷却するためのファンが設けられたものがある（例えば、特許文献１参
照）。
【特許文献１】特開平８−２９８７４号公報
【発明の開示】
【発明が解決しようとする課題】
【０００３】
しかしながら、ＤＭＤの表示画像を投写レンズで拡大表示するようにしたＤＭＤプロジ
ェクタにおいては、偏光板や液晶は使用しないため、最も発熱しやすいのは光源のバルブ
周辺である。バルブはガラスで覆われており、このガラスの融点は約１０００℃であり、
安全のためにはこれ以下の温度で使用する必要がある。しかし、従来は光源の冷却手段が
ないため、長時間の使用や設置場所によっては、この温度を超えるおそれがあるため、細
心の注意をはらいながら使用していた。
【０００４】
また、プロジェクタは、テーブル上に設置して使用する場合と、天井に吊るして使用す
る場合とでは、向きが逆になるため、バルブも上下が逆になる。テーブル状態で、バルブ
のトップ側の温度が例えば９００℃、ボトム側が７５０℃（温度差は１５０℃で好ましい
範囲）であったとしても、天井状態では熱が天井付近にこもるため、ボトム部が１０００
℃以上、トップ部が６８０℃以下となってしまうことがあり、バルブが故障しやすい状態
となるおそれがある。このため、光源の冷却が望まれていた。特許文献１には、偏光板及
び液晶パネルを冷却する構成が記載されているが、光源を効果的に冷却する構成について
は記載されていない。
【０００５】
本発明の目的は、光源を効果的に冷却でき、熱変化による故障を防止したるようにした
プロジェクタ用光源を提供することにある。
【課題を解決するための手段】
【０００６】
第１発明に係るプロジェクタは、内面に鏡面を有する反射鏡と、該反射鏡内に設けられ
たバルブとを備えたプロジェクタ用光源において、前記反射鏡の前端縁に取り付けられた
フレームと、前記フレームに固定され、前記反射鏡の前方であって、該反射鏡から反射さ
れる光線のかからない位置に取り付けられた、後端部が反射鏡の外周方向に傾斜するガイ
ド面、およびおよび該ガイド面の両側に形成され、側方に八字状に開放された両翼を有す
るフィンと、該フィンの外方に配置された、前記ガイド面に向けて送風するファンと、を
備えたことを特徴とする。
【０００７】
このプロジェクタ用光源によれば、フィンに向けて送風することにより、冷却風が反射
鏡内に吹き込まれ、最も発熱しやすい光源が冷却風で冷却することができ、特に、テーブ
ルと天井吊り下げの両位置で使用する場合でも、バルブのトップとボトムの温度差を１５
０℃以内の好ましい範囲に収めることが可能になる。また、両翼が八字状に開いているの
で、ファンからの風がガイド面に集められ、風を無駄なく反射鏡内に送り込むことができ
る。
【０００８】
第２発明に係るプロジェクタ用光源は、内面に鏡面を有する反射鏡と、該反射鏡内に設
けられたバルブとを備えたプロジェクタ用光源において、前記反射鏡の前方であって、該
反射鏡から反射される光線のかからない位置に取り付けられた、後端部が反射鏡の外周方
向に傾斜するガイド面およびおよび該ガイド面の両側に形成された両翼を有するフィンと
、該フィンの外方に配置された、前記ガイド面に向けて送風するファンと、を備えたこと
を特徴とする。
【０００９】
このプロジェクタ用光源によれば、フィンに向けて送風することにより、冷却風が反射
鏡内に吹き込まれ、最も発熱しやすい光源が冷却風で冷却することができ、特に、テーブ
ルと天井吊り下げの両位置で使用する場合でも、バルブのトップとボトムの温度差を１５
０℃以内の好ましい範囲に収めることが可能になる。
【００１０】
第３発明に係るプロジェクタ用光源は、前記ガイド面と両翼との間の角部に側面三角形
状の折曲連接部が形成されていることを特徴とする。
【００１１】
このプロジェクタ用光源によれば、折曲連接部によりガイド面の傾斜角を大きくして冷
却風の通りを良くすることができる。
【００１２】
第４発明に係るプロジェクタ用光源は、前記フィンは、前記反射鏡の真横に取り付けら
れていることを特徴とする。
【００１３】
このプロジェクタ用光源によれば、冷却風がバルブの真横に吹き付けられるので、バル
ブのトップおよびボトムを均一に冷却することができる。
【００１４】
第５発明に係るプロジェクタは、第１乃至第４発明の何れかに係るプロジェクタ用光源
を備えることを特徴とする。このプロジェクタは、第１乃至第４発明について述べたと同
様の作用効果を奏する。
【発明の効果】
【００１５】
本発明によれば、光源を効果的に冷却でき、熱変化による故障を防止することができる
。
【発明を実施するための最良の形態】
【００１６】
以下、本発明のプロジェクタ用光源の実施形態を図面を参照して説明する。
【００１７】
図１は、本発明のプロジェクタ用光源の一部切欠き側面図、図２は、プロジェクタ用光
源の正面図である。
【００１８】
各図に示すように、光源１は、内面に弧状をなす鏡面２a有する笠形の反射鏡２と、こ
の反射鏡２内に配置されたバルブ３とを備えたものである。バルブ３は、支持部材４によ
り反射鏡２に支持されて、反射鏡２の中心に、先端の発光部３aが鏡面２aの底面に向くよ
うに配置されている。支持部材４には、バルブ３に通電する導線（図示せず）が取り付け
られている。
【００１９】
反射鏡２の先端縁には、リング状のフレーム５が取り付けられている。このフレーム５
は、内周にリング状の段部５aが形成され、前面に突出部５ｂが形成されたもので、段部
５aを反射鏡２の先端縁に嵌め込み、突出部５ｂの前面にフィン６が取り付けられている
。
【００２０】
図３に示すように、このフィン６は、前部のガイド面７の両端縁に両翼８が形成された
もので、ガイド面７は下部になるにしたがって前方に突出する方向に傾斜し、両翼は八字
状に側方に開いた形状である。したがって、このフィン６をフレーム３に取り付けた状態
では、図１に示すように、ガイド面７は、後部が反射鏡２の中心方向、前部が外周方向に
向けて傾斜し、ガイド面７とフレーム３との間に通路９が形成された構成となる。図２に
おいて、フィン６の側方には、モータ１０により回転するファン１１が設けられている。
図１に示すように、フィン６は反射鏡から出射されて焦点を結ぶ光線Ｌにかからない位置
に取り付けられている。これは光線Ｌを遮ると画像に支障が出るからである。そして、図
２に示すように、フィン６は、反射鏡２の真横、つまりバルブ３の真横に取り付けられて
いる。
【００２１】
モータ１０によりファン１１が回転すると、冷却風がフィン６に沿って、図１の矢印の
ように、特に、ガイド面７の傾斜に沿って反射鏡２の中心方向、すなわち、バルブ３の方
向に多く流れ、冷却効果を高めることができる。
【００２２】
図４は、フィン６の他の構造例であって、ガイド面７と両翼８との間に、側面三角形状
の折曲連接部１２を形成したものである。これにより、ガイド面７の下端は前方に大きく
突出する形状になり、フレーム３に取り付けた際、上記通路９の間隔が大きくなり、冷却
風の通りをよくすることができる。この折曲連接部１２の傾斜角度を変えることにより、
ガイド面７の傾斜角度を変えることができる。
【００２３】
以上のように、反射鏡２の前方に、フィン６と、フィン６に向けて送風するファン１１
をもうけたので、最も発熱しやすい光源１を冷却風で冷却することができ、特に、テーブ
ルと天井吊り下げの両位置で使用する場合でも、バルブの上下が均一に冷却できるので、
バルブ３のトップとボトムの温度差を１５０℃以内の好ましい範囲に収めることが可能に
なる。
【図面の簡単な説明】
【００２４】
【図１】本発明のプロジェクタ用光源の実施形態を示す一部切欠き側面図。
【図２】本発明のプロジェクタ用光源の正面図。
【図３】フィンの斜視図。
【図４】フィンの他の構造例を示す斜視図。
【符号の説明】
【００２５】
１      光源
２      反射鏡
２a    鏡面
３      バルブ
５      フレーム
６      フィン
７      ガイド面
８      両翼
１１    ファン
【図１】
2006053490.tif 000003
【図２】
2006053490.tif 000004
【図３】
2006053490.tif 000005
【図４】
2006053490.tif 000006